(57)【特許請求の範囲】
【請求項１】
第一通路及び第一位置決め環溝が設けられた第一接続ブロックであって、前記第一位置決め環溝は、前記第一通路を取り囲んで設けられており、前記第一位置決め環溝は、第一溝底面、第一溝内壁面及び第一溝外壁面を有し、前記第一溝底面は、前記第一溝内壁面及び前記第一溝外壁面と繋がっている第一接続ブロックと、
第二通路及び第二位置決め環台が設けられた第二接続ブロックであって、前記第二通路は、前記第一通路に連通しており、前記第二位置決め環台は、前記第一位置決め環溝内に嵌合され、前記第二位置決め環台は、前記第二通路を取り囲んで設けられており、前記第二位置決め環台は、第二台端面、第二台内壁面及び第二台外壁面を有し、前記第二台端面は、前記第二台内壁面及び前記第二台外壁面と繋がっており、前記第二台外壁面は、前記第一溝外壁面と嵌合し、第二台内壁面は、前記第一溝内壁面と嵌合する第二接続ブロックと、
前記第一接続ブロックと前記第二接続ブロックとを接続する締結具と、
前記第一位置決め環溝と前記第二位置決め環台との間に嵌合される密封環であって、少なくとも、第一当接部及び第二当接部を含み、前記第一当接部及び前記第二当接部は、前記密封環の対向する両側に設けられており、前記第一当接部には、前記第一溝底面の少なくとも一部が当接し、前記第二当接部には、前記第二台端面の少なくとも一部が当接する密封環と、を含み、
前記密封環には、前記密封環の周方向に沿って延びる凸出部が設けられており、前記第二台端面及び前記第一溝底面の少なくとも一方は、前記凸出部と形状が適合した密封溝を有し、
前記第一当接部及び前記第二当接部の少なくとも一方は、交差して前記凸出部を形成している第一斜面及び第二斜面を含み、前記第一斜面は、前記密封環の内周面から、前記密封環の軸方向に沿って外方へ、且つ前記密封環の径方向に沿って外方へ傾斜して延びており、前記第二斜面は、前記密封環の外周面から、前記密封環の軸方向に沿って外方へ、且つ前記密封環の径方向に沿って内方へ傾斜して延びている
ことを特徴とする管路アダプター装置。
【請求項２】
前記第二台端面及び前記第一溝底面の少なくとも一方は、交差して前記密封溝を形成している第三斜面及び第四斜面を含み、前記第三斜面と前記第四斜面との間の夾角は、前記第一斜面と前記第二斜面との間の夾角よりも大きい
ことを特徴とする請求項１に記載の管路アダプター装置。
【請求項３】
前記第一斜面と前記第二斜面との間は、前記第一斜面と前記第二斜面との境界に円弧面が形成されるように、円弧による遷移とされている
ことを特徴とする請求項１に記載の管路アダプター装置。
【請求項４】
前記凸出部は、２つであり、且つそれぞれが、前記密封環のその軸方向に沿って離間している両端面に設けられており、前記第二台端面及び前記第一溝底面は、いずれも、前記凸出部と形状が適合した密封溝を有する
ことを特徴とする請求項１に記載の管路アダプター装置。
【請求項５】
前記第一接続ブロックにおける前記第二接続ブロックに向く表面には、前記第一通路を取り囲む第一凸台が設けられており、前記第一位置決め環溝は、前記第一凸台の端面に形成されており、前記第二接続ブロックにおける前記第一接続ブロックに向く表面には、前記第二通路を取り囲む第二凹溝が設けられており、前記第二位置決め環台は、前記第二凹溝の底壁に形成されており、前記第一凸台は、前記第二凹溝内に嵌合され、前記第一凸台は、第一台内端面、第一台外端面及び第一台外壁面を有し、前記第一台内端面は、前記第一通路の内周面及び前記第一溝内壁面とそれぞれ繋がっており、前記第一台外端面は、前記第一台外壁面及び前記第一溝外壁面とそれぞれ繋がっており、前記第二凹溝は、第二溝内底面、第二溝外底面及び第二溝外壁面を有し、前記第二溝外底面は、前記第二台外壁面及び前記第二溝外壁面とそれぞれ繋がっており、前記第二溝内底面は、前記第二通路の内周面及び前記第二位置決め環台の第二台内壁面とそれぞれ繋がっており、前記第二溝外壁面は、前記第一台外壁面と嵌合し、前記第一台外端面と前記第二溝外底面とは、前記第一通路及び前記第二通路の軸方向に対向しており、前記第一台内端面と前記第二溝内底面とは、前記第一通路及び前記第二通路の軸方向に対向している
ことを特徴とする請求項１〜４のいずれか一項に記載の管路アダプター装置。
【請求項６】
前記第二溝外壁面と、前記第二台外壁面と、前記第二台内壁面と、前記第二通路の内周面とは、平行で且つ離間して設けられており、前記第一台外壁面と、前記第一溝内壁面と、前記第一溝外壁面と、前記第一通路の内周面とは、平行で且つ離間して設けられている
ことを特徴とする請求項５に記載の管路アダプター装置。
【請求項７】
前記第一位置決め環溝は、前記第一接続ブロックにおける前記第二接続ブロックに向く表面から凹み込んでおり、前記第二位置決め環台は、前記第二接続ブロックにおける前記第一接続ブロックに向く表面から凸出している
ことを特徴とする請求項１〜４のいずれか一項に記載の管路アダプター装置。
【請求項８】
前記第一接続ブロックに第一貫通孔が設けられており、前記第二接続ブロックに第二貫通孔が設けられており、前記締結具は、ボルトであり、前記第一接続ブロックと前記第二接続ブロックとは、前記第一貫通孔及び前記第二貫通孔内に嵌合されたボルトによって繋げられており、前記第一貫通孔と前記第一通路とは、互いに離間し、且つ軸方向が一致しており、前記第二貫通孔と前記第二通路とは、互いに離間し、且つ軸方向が一致している
ことを特徴とする請求項１〜７のいずれか一項に記載の管路アダプター装置。
【請求項９】
前記第一接続ブロック及び前記第二接続ブロックの少なくとも一方に段差部が設けられており、前記段差部は、前記第一接続ブロックにおける前記第二接続ブロックに向く表面に設けられ、且つ前記第一通路から離間しており、及び／又は、前記段差部は、前記第二接続ブロックにおける前記第一接続ブロックに向く表面に設けられ、且つ前記第二通路から離間している
ことを特徴とする請求項１〜８のいずれか一項に記載の管路アダプター装置。
【請求項１０】
前記第一接続ブロックには、位置決め凹部が設けられるとともに、前記第二接続ブロックには、前記位置決め凹部に嵌合される位置決め凸部が設けられているか、或いは、前記第二接続ブロックには、位置決め凹部が設けられるとともに、前記第一接続ブロックには、前記位置決め凹部に嵌合される位置決め凸部が設けられている
ことを特徴とする請求項１〜９のいずれか一項に記載の管路アダプター装置。
【請求項１１】
前記第一接続ブロックにおける前記第二接続ブロックに向く表面に段差部が設けられ、前記段差部に位置決め凸部が設けられ、前記第二接続ブロックにおける前記第一接続ブロックに向く表面には、前記位置決め凸部と嵌合する位置決め凹部が設けられている
ことを特徴とする請求項１〜８のいずれか一項に記載の管路アダプター装置。
【請求項１２】
前記第一当接部及び前記第二当接部の材質には、少なくとも、膨張黒鉛が含まれている
ことを特徴とする請求項１〜１１のいずれか一項に記載の管路アダプター装置。
【発明の詳細な説明】
【技術分野】
【０００１】
本願は、電気機器製造の技術分野に関し、具体的に、管路アダプター装置に関する。
【背景技術】
【０００２】
冷凍システムの管路は、溶接によって接続されることが多い。冷凍システムの組立時には、専門家が現場で溶接機を用いて管路を溶接することを必要とし、操作が比較的面倒であるため、冷凍システムの管路接続に有益な管路アダプター装置を提供する必要がある。
【発明の概要】
【０００３】
本願は、冷凍システムの管路接続に有益な管路アダプター装置を提案する。
【０００４】
上記目的を達成するために、本願の実施例によると、第一通路及び第一位置決め環溝が設けられた第一接続ブロックであって、前記第一位置決め環溝は、前記第一通路を取り囲んで設けられており、前記第一位置決め環溝は、第一溝底面、第一溝内壁面及び第一溝外壁面を有し、前記第一溝底面は、前記第一溝内壁面及び前記第一溝外壁面と繋がっている第一接続ブロックと、第二通路及び第二位置決め環台が設けられた第二接続ブロックであって、前記第二通路は、前記第一通路に連通しており、前記第二位置決め環台は、前記第一位置決め環溝内に嵌合され、前記第二位置決め環台は、前記第二通路を取り囲んで設けられており、前記第二位置決め環台は、第二台端面、第二台内壁面及び第二台外壁面を有し、前記第二台端面は、前記第二台内壁面及び前記第二台外壁面と繋がっており、前記第二台外壁面は、前記第一溝外壁面と嵌合し、第二台内壁面は、前記第一溝内壁面と嵌合する第二接続ブロックと、前記第一接続ブロックと前記第二接続ブロックとを接続する締結具と、前記第一位置決め環溝と前記第二位置決め環台との間に嵌合される密封環であって、少なくとも、第一当接部及び第二当接部を含み、前記第一当接部及び前記第二当接部は、前記密封環の対向する両側に設けられており、前記第一当接部には、前記第一溝底面の少なくとも一部が当接し、前記第二当接部には、前記第二台端面の少なくとも一部が当接する密封環と、を含む管路アダプター装置を提供する。
【０００５】
本願の実施例に係る管路アダプター装置によれば、第一接続ブロックに、第一通路を設け、第二接続ブロックに、第一通路と連通する第二通路を設けることで、第一通路及び第二通路のそれぞれによって管路が接続され、管路の接続が実現でき、そして、第一接続ブロックに、第一通路を取り囲む環状の第一位置決め環溝を設け、第二接続ブロックに、第二通路を取り囲んで第一位置決め環溝内に嵌合される第二位置決め環台を設けることで、第一位置決め環溝及び第二位置決め環台によって、第一接続ブロック及び第二接続ブロックの密封効果が改善でき、且つ使い易い。
【０００６】
いくつかの実施例において、前記密封環には、前記密封環の周方向に沿って延びる凸出部が設けられており、前記第二台端面及び前記第一溝底面の少なくとも一方は、前記凸出部と形状が適合した密封溝を有する。これによって、密封環の密封面を例えば階段状やビード状等の非平面構造として設けることで密封面の面積を減らすことができ、締結具が小さい付勢力を提供するだけで、密封環は、大きい接触面圧を得ることができる。
【０００７】
いくつかの実施例において、前記第一当接部及び前記第二当接部の少なくとも一方は、交差して前記凸出部を形成している第一斜面及び第二斜面を含み、前記第一斜面は、前記密封環の内周面から、前記密封環の軸方向に沿って外方へ、且つ前記密封環の径方向に沿って外方へ傾斜して延びており、前記第二斜面は、前記密封環の外周面から、前記密封環の軸方向に沿って外方へ、且つ前記密封環の径方向に沿って内方へ傾斜して延びており、前記第二台端面及び前記第一溝底面の少なくとも一方は、交差して前記密封溝を形成している第三斜面及び第四斜面を含み、前記第三斜面と前記第四斜面との間の夾角は、前記第一斜面と前記第二斜面との間の夾角よりも大きい。
【０００８】
いくつかの実施例において、前記第一斜面と前記第二斜面との間は、前記第一斜面と前記第二斜面との境界に円弧面が形成されるように、円弧による遷移とされている。
【０００９】
いくつかの実施例において、前記凸出部は、２つであり、且つそれぞれが、前記密封環のその軸方向に沿って離間している両端面に設けられており、前記第二台端面及び前記第一溝底面は、いずれも、前記凸出部と形状が適合した密封溝を有する。
【００１０】
いくつかの実施例において、前記密封環は、その径方向における断面が階段型であり、前記第二台端面及び前記第一溝底面は、いずれも、前記密封環の端面に適合した階段型であり、前記密封環は、第一踏面、第二踏面、第三踏面及び第四踏面と、第一蹴上面及び第二蹴上面とを有し、前記密封環の内周面は、前記第一踏面及び第三踏面とそれぞれ繋がっており、前記第一蹴上面は、前記第一踏面及び第二踏面とそれぞれ繋がっており、前記密封環の外周面は、前記第二踏面及び前記第四踏面とそれぞれ繋がっており、前記第二蹴上面は、前記第四踏面及び前記第三踏面とそれぞれ繋がっている。
【００１１】
いくつかの実施例において、前記第一接続ブロックにおける前記第二接続ブロックに向く表面には、前記第一通路を取り囲む第一凸台が設けられており、前記第一位置決め環溝は、前記第一凸台の端面に形成されており、前記第二接続ブロックにおける前記第一接続ブロックに向く表面には、前記第二通路を取り囲む第二凹溝が設けられており、前記第二位置決め環台は、前記第二凹溝の底壁に形成されており、前記第一凸台は、前記第二凹溝内に嵌合され、前記第一凸台は、第一台内端面、第一台外端面及び第一台外壁面を有し、前記第一台内端面は、前記第一通路の内周面及び前記第一溝内壁面とそれぞれ繋がっており、前記第一台外端面は、前記第一台外壁面及び前記第一溝外壁面とそれぞれ繋がっており、前記第二凹溝は、第二溝内底面、第二溝外底面及び第二溝外壁面を有し、前記第二溝外底面は、前記第二台外壁面及び前記第二溝外壁面とそれぞれ繋がっており、前記第二溝内底面は、前記第二通路の内周面及び前記第二位置決め環台の第二台内壁面とそれぞれ繋がっており、前記第二溝外壁面は、前記第一台外壁面と嵌合し、前記第一台外端面と前記第二溝外底面とは、前記第一通路及び前記第二通路の軸方向に対向しており、前記第一台内端面と前記第二溝内底面とは、前記第一通路及び前記第二通路の軸方向に対向している。
【００１２】
いくつかの実施例において、前記第二溝外壁面と、前記第二台外壁面と、前記第二台内壁面と、前記第二通路の内周面とは、平行で且つ離間して設けられており、前記第一台外壁面と、前記第一溝内壁面と、前記第一溝外壁面と、前記第一通路の内周面とは、平行で且つ離間して設けられている。
【００１３】
いくつかの実施例において、前記第一位置決め環溝は、前記第一接続ブロックにおける前記第二接続ブロックに向く表面から凹み込んでおり、前記第二位置決め環台は、前記第二接続ブロックにおける前記第一接続ブロックに向く表面から凸出している。
【００１４】
いくつかの実施例において、前記第一接続ブロックに第一貫通孔が設けられており、前記第二接続ブロックに第二貫通孔が設けられており、前記締結具は、ボルトであり、前記第一接続ブロックと前記第二接続ブロックとは、前記第一貫通孔及び前記第二貫通孔内に嵌合されたボルトによって繋げられており、前記第一貫通孔と前記第一通路とは、互いに離間し、且つ軸方向が一致しており、前記第二貫通孔と前記第二通路とは、互いに離間し、且つ軸方向が一致している。
【００１５】
いくつかの実施例において、前記第一接続ブロック及び前記第二接続ブロックの少なくとも一方に段差部が設けられており、前記段差部は、前記第一接続ブロックにおける前記第二接続ブロックに向く表面に設けられ、且う前記第一通路から離間しており、及び／又は、前記第二接続ブロックにおける前記第一接続ブロックに向く表面に設けられ、且つ前記第二通路から離間している。
【００１６】
いくつかの実施例において、前記第一接続ブロックには、位置決め凹部が設けられるとともに、前記第二接続ブロックには、前記位置決め凹部に嵌合される前記位置決め凸部が設けられているか、或いは、前記第二接続ブロックには、位置決め凹部が設けられるとともに、前記第一接続ブロックには、前記位置決め凹部に嵌合される前記位置決め凸部が設けられている。
【００１７】
いくつかの実施例において、前記第一接続ブロックにおける前記第二接続ブロックに向く表面に段差部が設けられ、前記段差部に位置決め凸部が設けられ、前記第二接続ブロックにおける前記第一接続ブロックに向く表面には、前記位置決め凸部と嵌合する位置決め凹部が設けられている。
【００１８】
いくつかの実施例において、前記第一当接部及び前記第二当接部の材質には、少なくとも、膨張黒鉛が含まれている。
【図面の簡単な説明】
【００１９】
本発明の付加的点及び利点は、一部が次の記述において示され、一部が次の記述から明らかになり、或いは本発明の実施によって理解される。
【図１】本願の実施例による管路アダプター装置の立体模式図である。
【図２】本願の一実施例による管路アダプター装置の断面図である。
【図３】図２におけるＥ箇所の部分拡大図である。
【図４】本願の一実施例による管路アダプター装置の第一接続ブロックの断面図である。
【図５】本願の一実施例による管路アダプター装置の第二接続ブロックの断面図である。
【図６】本願の一実施例による管路アダプター装置の第一接続ブロックの立体模式図である。
【図７】本願の一実施例による管路アダプター装置の第二接続ブロックの立体模式図である。
【図８】本願の一実施例による管路アダプター装置の密封環の立体模式図である。
【図９】本願の他の一実施例による管路アダプター装置の密封環の模式図である。
【図１０】本願の一実施例による管路アダプター装置の第一接続ブロックの構造図である。
【図１１】本願の一実施例による管路アダプター装置の第二接続ブロックの構造図である。
【図１２】本願の他の一実施例による管路アダプター装置の断面図である。
【図１３】本願の他の一実施例による管路アダプター装置の第一接続ブロックの断面図である。
【図１４】本願のさらなる一実施例による管路アダプター装置の断面図である。
【図１５】図１４におけるＤ箇所の部分拡大図である。
【図１６】本願のさらなる一実施例による管路アダプター装置の第二接続ブロックの構造図である。
【図１７】本願のさらなる他の一実施例による管路アダプター装置の第一接続ブロックの立体模式図である。
【図１８】本願のさらなる他の一実施例による管路アダプター装置の第二接続ブロックの立体模式図である。
【発明を実施するための形態】
【００２０】
以下、本発明の実施例について詳細に説明する。前記実施例の例示は、図面に示され、そのうち、同一又は類似の符号は、同一又は類似の部材、或いは同一又は類似の機能を有する部材を示している。以下に図面を参照して説明される実施例は、例示的であり、あくまでも本発明を解釈するためのものであって、本発明を制限するものとして理解してはならない。なお、本発明の記述において、「中心」、「縦方向」、「横方向」、「長さ」、「幅」、「厚さ」、「上」、「下」、「前」、「後」、「左」、「右」、「鉛直」、「水平」、「頂上」、「底部」、「内方」、「外方」、「時計回り」、「反時計回り」、「軸方向」、「径方向」、「周方向」等の用語によって表される方向又は位置関係は、図面に示す方位又は位置関係であり、本発明の記述の便宜のためだけであり、本発明が特定の方位で構成し操作されることを要求するものではないため、本発明を制限するものとして理解してはならない。
【００２１】
図１〜図１８に示すように、本願の実施例による管路アダプター装置１は、第一接続ブロック１００、第二接続ブロック２００、締結具３００及び密封環４００を含む。
【００２２】
図２、４、６、１０に示すように、第一接続ブロック１００に第一通路１１０が設けられている。言い換えれば、第一通路１１０は、第一接続ブロック１００の厚さ方向（図２における上下方向）に沿って第一接続ブロック１００を貫通している。第一接続ブロック１００に第一位置決め環溝１２０が更に設けられており、第一位置決め環溝１２０は、第一通路１１０を取り囲んで設けられており、第一位置決め環溝１２０は、第一溝底面１２２、第一溝内壁面１２３及び第一溝外壁面１２４を有し、第一溝底面１２２は、第一溝外壁面１２４と繋がっている。ここで、理解できるのは、第一位置決め環溝１２０は、環状溝である。この実施例において、第一通路１１０の周囲に第一位置決め環溝１２０が設けられる。即ち、第一接続ブロック１００上の第一位置決め環溝１２０は、第一通路１２０に連通していない。言い換えれば、第一位置決め環溝１２０の第一溝内壁面１２３と第一通路１１０の内周面１１１との間に離隔部が介在しており、この離隔部によって、第一通路１２０と環状溝としての第一位置決め環溝１２０を離隔することができる。
【００２３】
図２、５、７、１１に示すように、第二接続ブロック２００に第二通路２１０が設けられている。言い換えれば、第二通路２１０は、第二接続ブロック２００の厚さ方向（図２における上下方向）に沿って第二接続ブロック２００を貫通している。第二接続ブロック２００に第二位置決め環台２２０が更に設けられており、第二通路２１０は、第一通路１１０に連通している。第二位置決め環台２２０は、第二通路２１０を取り囲んで設けられており、第二位置決め環台２２０は、第二台端面２２１、第二台内壁面２２２及び第二台外壁面２２３を有し、第二台端面２２１は、第二台内壁面２２２及び第二台外壁面２２３と繋がっている。即ち、第二台端面２２１は、第二台内壁面２２２と繋がっているし、第二台外壁面２２３とも繋がっている。
【００２４】
図２、３に示すように、第二位置決め環台２２０は、第一位置決め環溝１２０内に嵌合される。即ち、第一位置決め環溝１２０の形状及びサイズは、第二位置決め環台２２０の形状及びサイズに適合し、第二位置決め環台２２０は、第一位置決め環溝１２０内に入り込み、第二台外壁面２２３は、第一溝外壁面１２４と嵌合し、第二台内壁面２２２は、第一溝内壁面１２３と嵌合する。ここで、理解できるのは、第一位置決め環溝１２０は、第一接続ブロック１００における第二接続ブロック２００に向く表面に設けられ、第二位置決め環台２２０は、第二接続ブロック２００における第一接続ブロック１００に向く表面に設けられている。例えば、第二接続ブロック２００と第一接続ブロック１００とは、上から下へ順次に接続され、第二接続ブロック２００の下面に第二位置決め環台２２０が設けられ、第一接続ブロック１００の上面に第一位置決め環溝１２０が設けられ、第二位置決め環台２２０は、第一位置決め環溝１２０内に嵌合される。
【００２５】
ここで、理解されたいのは、「第二台外壁面２２３は、第一溝外壁面１２４と嵌合する」における嵌合とは、第二外壁面２２３の少なくとも一部の領域と第一溝外壁面１２４の少なくとも一部の領域とが接触しているか、或いは、第二外壁面２２３の少なくとも一部の領域と第一溝外壁面１２４の少なくとも一部の領域とが対向し且つ両者が第二位置決め環台２２０の径方向に沿って離間しており、即ち両者が接触していないことを意味する。「第二台内壁面２２２は、第一溝内壁面１２３と嵌合する」における嵌合とは、第二台内壁面２２２の少なくとも一部の領域と第一溝内壁面１２３の少なくとも一部の領域とが接触していることだけを意味する。これは、第一通路１１０及び第二通路２１０内の流体が外に流れてしまうことを避けるためである。
【００２６】
締結具３００は、第一接続ブロック１００と第二接続ブロック２００とを接続する。言い換えれば、第一接続ブロック１００と第二接続ブロック２００とは、締結具３００によって繋げられている。いくつかの具体的な実施例において、締結具３００は、ボルトであり、ボルトによって第一接続ブロック１００と第二接続ブロック２００とが締結される。
【００２７】
密封環４００は、第一位置決め環溝１２０と第二位置決め環台２２０との間に嵌合され、密封環４００は、第一当接部４０１及び第二当接部４０２を含む。第一当接部４０１及び第二当接部４０２は、密封環４００の対向する両側に設けられており、第一当接部４０１及び第二当接部４０２は、概ね第一通路１１０の軸線周りの周方向に分布しており、第一通路１１０の軸方向には、第一当接部４０１と第二当接部４０２とが対向して設けられており、第一当接部４０１は、第一溝底面１２２に当接し、第二当接部４０２は、第二台端面２２１に当接する。ここで、理解されたいのは、第一当接部４０１及び第二当接部４０２は、図２、８に示すように、密封環４００の下端面及び上端面であってもよい。
【００２８】
密封環４００は、第三当接部４０３及び第四当接部４０４を更に含み、第三当接部４０３及び第四当接部４０４は、概ね第一通路１１０の軸線周りの周方向に分布しており、第三当接部４０３及び第四当接部４０４の軸線は、第一通路１１０の軸線と略平行しており、第三当接部４０３は、第一溝内壁面１２３に当接し、第四当接部４０４は、第一溝外壁面１２４に当接する。ここで、理解されたいのは、第三当接部４０３及び第四当接部４０４は、図８に示すように、密封環４００の内周面及び外周面であってもよい。
【００２９】
具体的に、図２、３に示すように、密封環４００は、第一位置決め環溝１２０内に取り付けられ、且つ第一位置決め環溝１２０と第二位置決め環台２２０との間に緊合され、密封環４００の第一当接部４０１（即ち下端面）は、第一溝底面１２２に密着し、密封環４００の第二当接部４０２（即ち上端面）は、第二台端面２２１に密着し、密封環４００の第三当接部４０３（即ち内周面）は、第一溝内壁面１２３に密着し、密封環４００の第四当接部４０４（即ち外周面）は、第一溝外壁面１２４に密着している。ここで、理解されたいのは、密封環４００の形状及びサイズは、密封環４００が第一位置決め環溝１２０と第二位置決め環台２２０との間に緊合されるように、第一位置決め環溝１２０の形状及びサイズ、第二位置決め環台２２０の形状及びサイズに適合している。
【００３０】
本明細書に記載の当接は、２つの意味がある。１つ目は、２つの物体が接触していることであり、２つ目は、２つの物体の間に接触面と垂直な作用力が存在していることである。「略平行」、「略垂直」とは、一定の範囲内での平行、垂直を指し、例えば、夾角８０〜９０°の場合も、垂直と見なされ、夾角０〜１０°の場合も、平行と見なされる。
【００３１】
この実施例において、第一通路１１０の一端が第一管２に接続され、第一通路１１０の他端が第二通路２１０の一端に接続されることが可能で、第二通路２１０の他端が第二管３に接続されることが可能であるため、第一接続ブロック１００に、第一通路１１０を設け、第二接続ブロック２００に、第一通路１１０と連通する第二通路２１０を設けることで、第一管２と第二管３との接続、即ち管路の接続が実現できる。第一接続ブロック１００における第二接続ブロック２００に向く表面に、第一通路１１０を取り囲む環状の第一位置決め環溝１２０を設け、第一通路１１０と第一位置決め環溝１２０とを離隔させ、第二接続ブロック２００に、第二通路２１０を取り囲んで且つ第一位置決め環溝１２０内に嵌合される第二位置決め環台２２０を設けることで、第二位置決め環台２２０が環状の第一位置決め環溝１２０内に嵌合されることによって、第一接続ブロック及び第二接続ブロックの密封性能を増強でき、且つこの管路アダプター装置は使い易い。
【００３２】
いくつかの実施例において、密封環４００には、密封環４００の周方向に沿って延びる凸出部４１０が設けられており、第二台端面２２１及び第一溝底面１２２の少なくとも一方は、凸出部４１０と形状が適合した密封溝１２１を有する。言い換えれば、いくつかの具体的な実施例において、図２、８に示すように、密封環４００における第二台端面２２１に隣接する一端面（図２で、密封環２２１の上端面）は、凸出部４１０を有し、第二台端面２２１は、凸出部４１０に適合した密封溝１２１を有する。他のいくつかの具体的な実施例において、密封環４００における第一溝底面１２２に隣接する一端面（図２で、密封環２２１の下端面）は、凸出部４１０を有し、第一溝底面１２２は、凸出部４１０に適合した密封溝１２１を有する。さらなるいくつかの具体的な実施例において、図１２〜１３に示すように、密封環４００における第二台端面２２１隣接する一端面（図１２で、密封環２２１の上端面）及び第一溝底面１２２に隣接する一端面（図１２で、密封環２２１の下端面）は、いずれも凸出部４１０を有し、第二台端面２２１は、凸出部４１０に適合した密封溝１２１を有するとともに、第一溝底面１２２は、凸出部４１０に適合した密封溝１２１を有する。
【００３３】
この実施例において、密封環４００の密封面を例えば階段状やビード状等の非平面構造として設けることで、密封面の面積を減らすことができ、それに合わせて、第二台端面２２１及び／又は第一溝底面１２２と密封環４００との接触面は、密封環４００の密封面に適合するように非平面構造とされることで、締結具が小さい付勢力を提供するだけで、密封環４００は、大きい接触面圧を得ることができ、即ち密封環４００は、大きい圧力を持つことができる。ここで、理解されたいのは、仮に管路アダプター装置の密封環の密封面が平面である場合、二酸化炭素を冷媒として用いると、二酸化炭素の作動圧力が大きいため、２つの接続ブロックにおけるボルトから遠い一方側で付勢力が大きく、ボルトに近い他方側で付勢力が小さくされ易くなることで、２つの接続ブロックにおけるボルトから遠い一方側に反りが生じ易くて、管路アダプター装置に漏れが発生してしまう。
【００３４】
この実施例において、第一位置決め環溝１２０、第二位置決め環台２２０及び密封環４００を設け、密封環４００に凸出部４１０を設け、第二台端面２２１及び第一溝底面１２２の少なくとも一方が、旋削加工された密封溝１２１を有し、密封溝１２１は、凸出部４１０と形状が適合し且つ凸出部４１０と嵌合するようにすることで、凸出部４１０及び密封溝１２１を用いて管路アダプター装置１を密封することができ、関連技術における管路アダプター装置に比べると、密封環４００に凸出部４１０を設けることで、凸出部４１０によって、締結具３００が管路アダプター装置１の一方側にて加圧することに起因した管路アダプター装置１の他方側にて受ける力にムラが生じ、付勢力が足りなくなる問題を解消することができ、密封環４００と、第一位置決め環溝１２０及び第二位置決め環台２２０の少なくとも一方との接触面積を減らしているため、締結具３００の圧力が変わらない場合、密封環４００の接触面にて受ける力が増大し、密封環４００と、第一位置決め環溝１２０及び第二位置決め環台２２０の少なくとも一方との間の結合力が向上し、管路アダプター装置１の密封信頼性が向上し、密封環４００の密封効果をより良好にし、管路アダプター装置１の作動性能を向上させることができる。
【００３５】
そして、密封環４００に凸出部４１０を設けることで、密封環４００が押されると、凸出部４１０は、断面が急変するという特徴を持つため、密封環４００が圧力下で弾性変形し易くなり、密封環４００の弾性変形能力が向上し、小さい付勢力を印加するだけで大きい接触面圧を得ることができ、管路アダプター装置１に必要な付勢力の減少に有利であることに加え、第一接続ブロック１００と第二接続ブロック２００とが力を受けて分離する際、密封環４００は、リバウンド量で、第一接続ブロック１００と第二接続ブロック２００との分離量を補償することができるため、管路アダプター装置１の漏れが回避され、管路アダプター装置１の密封信頼性が更に向上する。
【００３６】
また、凸出部４１０及び密封溝１２１を設けることで、管路アダプター装置１の密封性能を向上させることができ、例えば二酸化炭素を冷媒として用いる空調システムのような密封要求の高い場面への管路アダプター装置１が応用され易くなるため、空調システムの作動性能の向上および空調システムの作動効率の向上に有利であり、空調システムの体積が減少し、例えば空調システム内のコンプレッサー、エバポレーター及びコンデンサーの体積を減らして、空調システムの占有空間を減らすことができ、空調システムの装設が容易になり、空調システムの作動信頼性及び安定性の向上に有利である。
【００３７】
従って、この実施例において、管路アダプター装置１は、使い易く、密封効果が良好である等の利点がある。
【００３８】
本願のいくつかの実施例において、図２、８、１２に示すように、密封環４００の第一当接部４０１及び第二当接部４０２の少なくとも一方は、交差して凸出部４１０を形成している第一斜面４１１及び第二斜面４１２を含み、第一斜面４１１は、密封環４００の内周面（第三当接部４０３）から、密封環４００の軸方向に沿って外方へ且つ密封環４００の径方向に沿って外方へ傾斜して延びており、第二斜面４１２は、密封環４００の外周面（第四当接部４０４）から、密封環４００の軸方向に沿って外方へ且つ密封環４００の径方向に沿って内方へ傾斜して延びている。ここで、理解できるのは、密封環４００の中心から、密封環４００の軸方向に密封環４００の中心から離れる方へ向かう方向は、密封環４００の軸方向に沿って外方へ向かう方向であり、密封環４００の中心から、密封環４００の径方向に密封環４００の中心から離れる方へ向かう方向は、密封環４００の径方向に沿って外方へ向かう方向である。図２、８に示す実施例において、密封環４００の第一当接部４０１は、第一斜面４１１及び第二斜面４１２を含み、図１２に示す実施例において、第一当接部４０１及び第二当接部４０２は、いずれも、第一斜面４１１及び第二斜面４１２を含む。
【００３９】
図１１に示すように、第二台端面２２１及び第一溝底面１２２の少なくとも一方は、交差して密封溝１２１を形成している第三斜面１２５及び第四斜面１２６を含み、第三斜面１２５と第四斜面１２６との間の夾角は、第一斜面４１１と第二斜面４１２との間の夾角よりも大きい。こうして、密封環４００の密封接触面積の減少に有利であり、密封環４００が圧力下で弾性変形し易く、更に密封環４００の密封性能の向上に有利である。
【００４０】
本願のいくつかの具体的な実施例において、第一斜面４１１と第二斜面４１２との間は、第一斜面４１１と第二斜面４１２との境界に円弧面が形成されるように、円弧による遷移とされている。この実施例において、密封環４００の凸出部４１０が円弧面を有することで、密封環４００の密封接触面積の減少に有利であり、密封環４００が弾性変形し易く、密封環４００の密封効果が更に向上する。
【００４１】
いくつかの具体的な実施例において、図１２〜１３に示すように、凸出部４１０は、２つであり、且つ密封環４００の軸方向に沿って離間している両端面にそれぞれ１つある。第二台端面２２１及び第一溝底面１２２は、いずれも、凸出部４１０と形状が適合した密封溝１２１を有する。言い換えれば、図１２に示すように、密封環４００の上端面は、第一斜面４１１及び第二斜面４１２を有し、密封環４００の下端面も、第一斜面４１１及び第二斜面４１２を有し、第二台端面２２１は、第三斜面１２５及び第四斜面１２６を有し、第一溝底面１２２も、第三斜面１２５及び第四斜面１２６を有する。こうして、密封環４００と第一接続ブロック１００及び第二接続ブロック２００との接触面積の減少に有利であり、密封環４００の弾性変形能力が向上し、更に管路アダプター装置１の密封性能の向上に有利である。それと共に、密封環４００は、第一接続ブロック１００及び第二接続ブロック２００と嵌合し易く、密封環４００の誤装着の発生を防止することができ、密封環４００が円滑に装着され易く、密封環４００の装着効率の向上に有利である。
【００４２】
本願の他のいくつかの実施例において、図１４〜図１６に示すように、密封環４００は、その径方向における断面が階段型であり、第二台端面２２１及び第一溝底壁１２２は、いずれも、密封環４００の端面に適合した階段型であり、密封環４００は、第一踏面４１３、第二踏面４１４、第三踏面４１５及び第四踏面４１６と、第一蹴上面４１７及び第二蹴上面４１８とを有し、密封環４００の内周面、即ち第三当接部４０３は、第一踏面４１３及び第三踏面４１５とそれぞれ繋がっており、第一蹴上面４１７は、第一踏面４１３及び第二踏面４１４とそれぞれ繋がっており、密封環４００の外周面、即ち第四当接部４０４は、第二踏面４１４及び第四踏面４１６とそれぞれ繋がっており、第二蹴上面４１８は、第四踏面４１６及び第三踏面４１５とそれぞれ繋がっている。具体的に、図１５に示すように、密封環４００の第一蹴上面４１７及び第二踏面４１４は、凸出部４１０を構成し、密封環４００の第二蹴上面４１８及び第三踏面４１５は、凸出部４１０を構成している。こうした場合も、密封環４００と第一接続ブロック１００及び第二接続ブロック２００との接触面積の減少に有利であり、密封環４００の弾性変形能力が向上し、更に管路アダプター装置１の密封信頼性が向上する。
【００４３】
本願のいくつかの実施例において、図１〜４、６、１０に示すように、第一接続ブロック１００における第二接続ブロック２００に向く表面には、第一通路１１０を取り囲む第一凸台１３０が設けられており、第一位置決め環溝１２０は、第一凸台１３０の端面に形成されており、図１〜３、５、７、１１に示すように、第二接続ブロック２００における第一接続ブロック１００に向く表面には、第二通路２１０を取り囲む第二凹溝２３０が設けられており、第二位置決め環台２２０は、第二凹溝２３０の底壁に形成されており、第一凸台１３０は、第二凹溝２３０内に嵌合され、第一凸台１３０は、第一台内端面１３１、第一台外端面１３２及び第一台外壁面１３３を有する。ここで、理解できるのは、第一台内端面１３１と第一台外端面１３２との間は、第一位置決め環溝１２０によって離間されており、第一台内端面１３１は、上記の第一溝内壁面１２３と第一通路１１０の内周面１１１との間の離隔部を形成し、且つ第一台内端面１３１及び第一台外端面１３２は、いずれも環状であり、第一凸台１３０の径方向には、第一台外端面１３２が第一内端面１３１の外側に位置している。また、いくつかの具体的な実施例において、図４、６に示すように、第一台内端面１３１と第一台外端面１３２とは、面一である。他のいくつかの具体的な実施例において、第一台内端面１３１は、第二台外端面よりも低く、例えば図１０に示すように、第一台外端面１３２は、第一凸台１３０の径方向に第一台内端面１３１と離間し、且つ第一台外端面１３２は、上下方向に第一台内端面１３１の上方に位置している。
【００４４】
第一台内端面１３１は、第一通路１１０の内周面１１１及び第一溝内壁面１２３とそれぞれ繋がっており、第一台外端面１３２は、第一台外壁面１３３及び第一溝外壁面１２４とそれぞれ繋がっており、第二凹溝２３０は、第二溝内底面２３１、第二溝外底面２３２及び第二溝外壁面２３３を有し、第二溝外底面２３２は、第二台外壁面２２３及び第二溝外壁面２３３とそれぞれ繋がっており、第二溝内底面２３１は、第二通路２１０の内周面２１１及び第二位置決め環台２２０の第二台内壁面２２２とそれぞれ繋がっており、第二溝外壁面２３３は、第一台外壁面１３３と嵌合し、第一台外端面１３２と第二溝外底面２３２とは、第一通路１１０及び第二通路２１０の軸方向に対向し、第一台内端面１３１と第二溝内底面２３１とは、第一通路１１０及び第二通路２１０の軸方向に対向している。こうして、第一位置決め環溝１２０及び第二位置決め環台２２０の装設が容易になることに加え、第一凸台１３０及び第二凹溝２３０によって、第一接続ブロック１００及び第二接続ブロック２００を位置決め及びガイドすることができ、第一接続ブロック１００及び第二接続ブロック２００が円滑に装配され易く、管路アダプター装置１の装配正確性及び装配効率の向上に有利である。それと共に、第一接続ブロック１００及び第二接続ブロック２００の受ける力をより均一にし、局所的な応力集中を避けることができるため、第一接続ブロック１００及び第二接続ブロック２００の一方側に反りが生じることを更に防止できる。
【００４５】
また、第一凸台１３０は、第二凹溝２３０内に隙間嵌めされてもよい。言い換えれば、第一凸台１３０の軸方向において、第一凸台１３０の第一台内端面１３１と第二凹溝２３０の第二溝内底面２３１との間に隙間があり、及び／又は、第一凸台１３０の第一外端面１３２と第二凹溝２３０の第二溝外底面２３２との間に隙間がある。
【００４６】
勿論、第一位置決め環溝１２０と第二位置決め環台２２０の位置は、入れ替えられてもよく、第一凸台１３０と第二凹溝２３０の位置も、入れ替えられてもよい。
【００４７】
より具体的に、第一通路１１０と第二通路２１０とは、同軸に設けられており、第一凸台１３０と、第一位置決め環溝１２０と、第一通路１１０とは、同軸に設けられており、第二凹溝２３０と、第二位置決め環台２２０と、第二通路２１０とは、同軸に設けられている。こうして、管路アダプター装置１の製造及び装配に有利であり、管路アダプター装置１の構造強度及び安定性が向上することに加え、第一通路１１０と第二通路２１０との対応付けが容易になり、管路内の媒体の抵抗が減少し、媒体を円滑に流動させることができる。
【００４８】
また、第二溝外壁面２３３と、第二台外壁面２２３と、第二台内壁面２２２と、第二通路２１０の内周面２１１とは、平行で且つ離間して設けられており、第一台外壁面１３２と、第一溝内壁面１２３と、第一溝外壁面１２４と、第一通路１１０の内周面１１１とは、平行で且つ離間して設けられている。こうして、密封環４００と締結具３００との接触を避け、密封環４００が局所的に大きな力を受けて損壊してしまうのを防止することができ、密封環４００の保護に有利であり、密封環４００の使用寿命が向上する。
【００４９】
理解できるのは、第一位置決め環溝１２０は、第一凸台１３０に設けられた形態に限らず、例えば他のいくつかの実施例において、図１７及び図１８に示すように、第一位置決め環溝１２０は、第一接続ブロック１００における第二接続ブロック２００に向く表面から凹み込んでおり、第二位置決め環台２２０は、第二接続ブロック２００における第一接続ブロック１００に向く表面から凸出している。いくつかの具体的な実施例において、第一通路１１０と第二通路２１０とは、同軸に設けられており、第一位置決め環溝１２０と第一通路１１０とは、同軸に設けられており、第二位置決め環台２２０と第二通路２１０とは、同軸に設けられている。こうして、管路アダプター装置１の製造及び装配に有利であり、管路アダプター装置１の構造強度及び安定性が向上し、第一通路１１０と第二通路２１０との対応付けが容易になり、管路内の媒体の抵抗が減少し、媒体を円滑に流動させることができる。
【００５０】
ここで、理解されたいのは、第一位置決め環溝１２０の第一溝内壁面１２３と第一通路１１０の内周面１１１との間の離隔部の上面は、第一接続ブロック１００の上面から第二接続ブロック２００に向かって凸起してもよく、図４、６、１０に示すように、この離隔部の上面は、第一接続ブロック１００の上面よりも高くてもよく、一方で、第一位置決め環溝１２０の第一溝内壁面１２３と第一通路１１０の内周面１１１との間の離隔部の上面も、第一接続ブロック１００の上面から下へ凹み込んでもよい。言い換えれば、離隔部の上面は、第一接続ブロック１００の上面よりも低くてもよく、また、第一位置決め環溝１２０の第一溝内壁面１２３と第一通路１１０の内周面１１１との間の離隔部の上面は、第一接続ブロック１００の上面と略面一であってもよい。即ち、図１７に示すように、この離隔部の上面と第一接続ブロック１００の上面とは、概ね同等的に第二接続ブロック２００に隣接していてもよい。
【００５１】
いくつかの実施例において、第一接続ブロック１００に第一貫通孔１４０が設けられ、第二接続ブロック２００に第二貫通孔２４０が設けられている。言い換えれば、図４〜７に示すように、第一接続ブロック１００には、第一接続ブロック１００を上下方向に貫通する第一貫通孔１４０が設けられ、第二接続ブロック２００には、第二接続ブロック２００を上下方向に貫通する第二通路２４０が設けられている。
【００５２】
締結具３００は、ボルトであり、第一接続ブロック１００と第二接続ブロック２００とは、第一貫通孔１４０及び第二貫通孔２４０内に嵌合されたボルトによって繋げられている。こうして、第一接続ブロック１００と第二接続ブロック２００とをしっかりと装着し、第一接続ブロック１００と第二接続ブロック２００との間の固定接続の信頼性及び安定性を確保することができる。それと共に、管路アダプター装置１の装着に有利であり、管路アダプター装置１の着脱効率が向上し、管路アダプター装置１の生産効率を向上させるとともに、管路アダプター装置１が故障した場合、迅速に着脱させることができる。
【００５３】
いくつかの具体的な実施例において、管路アダプター装置１の装着を容易にし、管路アダプター装置１の着脱効率を向上させるためには、第一貫通孔１４０と第一通路１１０とは、互いに離間し、且つ軸方向が一致しており、第二貫通孔２４０と第二通路２１０とは、互いに離間し、且つ軸方向が一致している。
【００５４】
いくつかの実施例において、図６、７、１０、１１に示すように、第二接続ブロック２００に、位置決め凹部２５０が設けられるとともに、第一接続ブロック１００に、位置決め凹部２５０に嵌合される位置決め凸部１５０が設けられているか、或いは、図１７及び図１８に示すように、第一接続ブロック１００に、位置決め凹部２５０が設けられるとともに、第二接続ブロック２００に、位置決め凹部２５０内に嵌合される位置決め凸部１５０が設けられている。ここで、理解できるのは、位置決め凹部２５０は、位置決め孔であってもよく、位置決め凸部１５０は、位置決めピンであってもよく、位置決めピンが位置決め孔内に入り込み、位置決め及びガイドの役割を果たすことで、第一接続ブロック１００及び第二接続ブロック２００が装配され易くなる。
【００５５】
いくつかの実施例において、第一接続ブロック１００及び第二接続ブロック２００の少なくとも一方に段差部１６０が設けられており、図６、１０に示すように、段差部１６０は、第一接続ブロック１００における第二接続ブロック１００に向く表面に設けられ、且つ第一通路１１０から離間しており、及び／又は、図１８に示すように、段差部１６０は、第二接続ブロック２００における第一接続ブロック１００に向く表面に設けられ、且つ第二通路２１０から離間している。言い換えれば、第一接続ブロック１００における第二接続ブロック２００に向く表面、及び、第二接続ブロック２００における第一接続ブロック１００に向く表面のいずれにも段差部１６０が設けられ、且つ、段差部１６０が、第一通路１１０及び第二通路２１０と隣接しないか、或いは、第一通路１１０及び第二通路２１０のいずれも、段差部１６０を通らないようにしてもよい。
【００５６】
この実施例において、締結具３００で第一接続ブロック１００と第二接続ブロック２００とを締結する場合、段差部１６０は、テコの作用を奏することができ、密封環４００が第一位置決め環溝１２０と第二位置決め環台２２０との間に嵌合され易くなり、段差部１６０を設けることで、第一接続ブロック１００及び第二接続ブロック２００が密封環４００に当接することに有利であり、密封効果が増強される。ここで、理解できるのは、「当接」とは、２つの物体が互いに接触している場合を含むし、２つの物体の間に接触面と直交する作用力が存在している場合も含む。
【００５７】
いくつかの具体的な実施例において、第一接続ブロック１００における第二接続ブロック２００に向く表面に段差部１６０が設けられ、段差部１６０に位置決め凸部１５０が設けられており、第二接続ブロック２００における第一接続ブロック１００に向く表面には、位置決め凸部１５０と嵌合する位置決め凹部２５０が設けられており、例えば図６及び図１０に示すように、第一接続ブロック１００の上面に段差部１６０が設けられ、段差部１６０の上面に位置決めピンが設けられており、第二接続ブロック２００の下面には、位置決めピンが嵌合される位置決め孔が設けられている。
【００５８】
いくつかの実施例において、密封環４００の第一当接部４０１及び第二当接部４０２の材質には、少なくとも、膨張黒鉛が含まれており、膨張黒鉛は、密封材料又はフィラーであり、良好なリバウンド性及び耐腐食性を持っている。こうして、更に密封環４００の作動信頼性の向上に有利であり、密封環４００の密封効果が向上する。さらには、密封環４００の第三当接部４０３及び第四当接部４０４の材質には、少なくとも、膨張黒鉛が含まれている。
【００５９】
いくつかの具体的な実施例において、密封環４００は、膨張黒鉛ガスケットであり、即ち、密封環４００は、完全に膨張黒鉛製である。
【００６０】
密封環４００は、膨張黒鉛ガスケットの形態に限らず、例えば他のいくつかの具体的な実施例において、図９に示すように、密封環４００は、基体４１及び被覆層４２を含み、被覆層４２は、基体４１の一部の外壁面及び一部の内壁面に被覆されている。言い換えれば、被覆層４２は、基体４２に被覆され、且つ密封環４００の内周面及び外周面、並びに上端面及び下端面のいずれにも、基体４１が露出しており、こうして、密封環４００の第一当接部４０１、第二当接部４０２、第三当接部４０３及び第四当接部４０４の材質には、少なくとも、基体４０１の材質が含まれるようになり、そのうち、基体４０１の材質は、膨張黒鉛であるか、或いは、膨張黒鉛と金属又は非金属との織編物であり、例えば、インコネル金網と膨張黒鉛とによって織編されたもの、高炭素繊維と膨張黒鉛によって織編されたものや、高炭素繊維含浸膨張黒鉛エマルジョン製のものなどであり、ここでは、これ以上の列挙はしない。被覆層４２の材質は、基体４１の材質と異なり、被覆層４２の材質は、例えば銅、鉄や銀のような金属であってもよいし、例えばエンジニアリングプラスチックのような非金属であってもよい。
【００６１】
次に、本願の実施例による空調システムを説明する。本願の実施例による空調システムは、本願の上記実施例による管路アダプター装置１を含む。
【００６２】
具体的に、前記空調システムは、二酸化炭素を冷媒とする空調システムであってもよい。
【００６３】
本願の実施例による空調システムは、本願の上記実施例による管路アダプター装置１を用いることで、使い易く、密封効果が良好である等の利点がある。
【００６４】
本願の実施例による空調システムの他の構成及び操作は、当業者にとって既知なものであり、ここで詳しく説明しない。
【００６５】
本願において、「第一」、「第二」が限定されている特徴については、１つ又はより多くのこの特徴を明示又は暗示的に含むことが可能である。本願の説明において、特に明記しない限り、「複数」とは、２つ又は２つ以上であることを意味する。本願の説明において、第一特徴が第二特徴の「上」又は「下」にあるとは、第一特徴と第二特徴とが直接接触することを含んでもよく、第一特徴と第二特徴とが直接接触せずにそれらの間における別の特徴を介して接触することを含んでもよい。
【００６６】
本願の説明において、第一特徴が第二特徴の「上」、「上方」又は「上の方」にあるとは、第一特徴が第二特徴の真上及び斜め上にあることを含むか、或いは、単に第一特徴の水平高さが第二特徴よりも高いことだけを表す。
【００６７】
本願の説明において、明確な規定と限定がない限り、「装着」、「繋がる」、「接続」といった用語の意味は広く理解されるべきである。例えば、固定接続や、着脱可能な接続や、あるいは一体的な接続であってもよい。機械的な接続や、電気的な接続であってもよい。直接的に繋がることや、中間媒体を介して間接的に繋がることや、２つの部品の内部が連通することも可能である。当業者にとって、具体的な状況に応じて上記用語の本願での具体的な意味を理解することができる。
【００６８】
本願の説明において、「一実施例」、「いくつかの実施例」、「例示的な実施例」、「示例」、「具体的な示例」或いは「いくつかの示例」などの用語を参考した説明とは、該実施例或いは示例に結合して説明された具体的な特徴、構造、材料或いは特徴が、本願の少なくとも１つの実施例或いは示例に含まれていることである。本明細書において、上記用語に対する例示的な表述は、必ずしも同じ実施例或いは示例を示すことではない。又、説明された具体的な特徴、構造、材料或いは特徴は、いずれかの１つ或いは複数の実施例又は示例において適切に組み合わせることができる。
【００６９】
本願の実施例を示して説明したが、当業者であれば理解できるように、本願の原理及び主旨から逸脱せずに、これらの実施例に対して多種の変更、修正、置き換え及び変形を行うことが可能であり、本願の範囲は、請求項及びその同等物によって限定される。
【符号の説明】
【００７０】
１  管路アダプター装置、１００  第一接続ブロック、１１０  第一通路、１１１第一通路の内周面、１２０  第一位置決め環溝、１２１  密封溝、１２５  第三斜面、１２６  第四斜面、１２２  第一溝底面、１２３  第一溝内壁面、１２４  第一溝外壁面、１３０  第一凸台、１３１  第一台内端面、１３２  第一台外端面、１３３  第一台外壁面、１４０  第一貫通孔、１５０  位置決め凸部、１６０  段差部、２００  第二接続ブロック、２１０  第二通路、２１１  第二通路の内周面、２２０  第二位置決め環台、２２１  第二台端面、２２２  第二台内壁面、２２３  第二台外壁面、２３０  第二凹溝、２３１  第二溝内底面、２３２  第二溝外底面、２３３  第二溝外壁面、２４０  第二貫通孔、２５０  位置決め凹部、３００  締結具、４００  密封環、４１  基体、４２  被覆層、４０１  第一当接部、４０２  第二当接部、４０３  第三当接部、４０４  第四当接部、４１０  凸出部、４１１  第一斜面、４１２  第二斜面、４１３  第一踏面、４１４  第二踏面、４１５  第三踏面、４１６  第四踏面、４１７  第一蹴上面、４１８  第二蹴上面。
【図１】
0006931123.tif 000002
【図２】
0006931123.tif 000003
【図３】
0006931123.tif 000004
【図４】
0006931123.tif 000005
【図５】
0006931123.tif 000006
【図６】
0006931123.tif 000007
【図７】
0006931123.tif 000008
【図８】
0006931123.tif 000009
【図９】
0006931123.tif 000010
【図１０】
0006931123.tif 000011
【図１１】
0006931123.tif 000012
【図１２】
0006931123.tif 000013
【図１３】
0006931123.tif 000014
【図１４】
0006931123.tif 000015
【図１５】
0006931123.tif 000016
【図１６】
0006931123.tif 000017
【図１７】
0006931123.tif 000018
【図１８】
0006931123.tif 000019